(57)【要約】  本発明は、３８０ｎｍ〜６８０ｎｍの範囲の少なくとも一部についてのスペクトルエミッタンスをもつ光を生成するための光源に関する。前記光は、６００ｎｍ≦λ≦６８０ｎｍの第１の範囲、５０５ｎｍ≦λ≦６００ｎｍの第２の範囲、及び、３８０ｎｍ≦λ≦５０５ｎｍの第３の範囲に渡る、波長λの関数としてスペクトルパワー分布Ｅ（λ）をもつ。３８０ｎｍ≦λ≦６８０ｎｍの範囲に対する前記第１の範囲に渡る積分パワー分布の第１の比率は、式2013534690.tif 000018により与えられ、ここで、０．６５≦Ｐ１≦０．９５である。３８０ｎｍ≦λ≦６８０ｎｍの範囲に対する前記第２の範囲に渡る積分パワー分布の第２の比率は、式2013534690.tif 000019により与えられ、ここで、Ｐｍ≧０．０８である。３８０ｎｍ≦λ≦６８０ｎｍの範囲に対する前記第３の範囲に渡る積分パワー分布の第３の比率は、式2013534690.tif 000020により与えられ、ここで、Ｐｓ≧０．０３又はＰ１≧０．７５の場合にはＰＳ≧０．０１５である。前記第１の波長範囲、前記第２の波長範囲及び前記第３の波長範囲のそれぞれの各放射線放射ピークは、少なくとも１２ｎｍの半値全幅（ＦＷＨＭ）をもつ。
2013534690.tif 000002
【特許請求の範囲】
【請求項１】
３８０ｎｍ〜６８０ｎｍの範囲の少なくとも一部についてのスペクトルエミッタンスをもつ光を生成するための光源であって、
前記光は、波長λの関数としてスペクトルパワー分布Ｅ（λ）をもち、
前記光源は、照明制御要素と少なくとも１つの追加の照明制御要素とを有し、前記照明制御要素及び前記少なくとも１つの追加の照明制御要素は、６００ｎｍ≦λ≦６８０ｎｍの第１の範囲、５０５ｎｍ≦λ≦６００ｎｍの第２の範囲、及び、３８０ｎｍ≦λ≦５０５ｎｍの第３の範囲に渡るパワー分布をもつ生成光を得るように設定され、３８０ｎｍ≦λ≦６８０ｎｍの範囲に対する前記第１の範囲に渡る積分パワー分布の第１の比率は、式
2013534690.tif 000015
により与えられ、ここで、０．６５≦Ｐ１≦０．９５であり、３８０ｎｍ≦λ≦６８０ｎｍの範囲に対する前記第２の範囲に渡る積分パワー分布の第２の比率は、式
2013534690.tif 000016
により与えられ、ここで、Ｐｍ≧０．０８であり、３８０ｎｍ≦λ≦６８０ｎｍの範囲に対する前記第３の範囲に渡る積分パワー分布の第３の比率は、式
2013534690.tif 000017
により与えられ、ここで、Ｐｓ≧０．０３又はＰ１≧０．７５の場合にはＰＳ≧０．０１５であり、前記第１の範囲、前記第２の範囲及び前記第３の範囲のそれぞれは、少なくとも１０％の前記照明制御要素及び前記少なくとも１つの追加の照明制御要素によるスペクトル範囲を有する、光源。
【請求項２】
０．７０≦Ｐ１≦０．９５であることを特徴とする、請求項１に記載の光源。
【請求項３】
各範囲のスペクトル範囲は、少なくとも２０％であることを特徴とする、請求項１又は請求項２に記載の光源。
【請求項４】
各範囲に関して、少なくとも１つの顕著な放射ピークは、ＦＷＨＭ≧１２ｎｍ、好ましくはＦＷＨＭ≧２０ｎｍを有することを特徴とする、請求項１に記載の光源。
【請求項５】
当該光源の全フラックスは、少なくとも１００ｌｍ、好ましくは少なくとも２５０ｌｍ、より好ましくは少なくとも７５０ｌｍであることを特徴とする、請求項１に記載の光源。
【請求項６】
前記第１の照明制御要素として複数のＬＥＤを有し、前記第１の照明制御要素は、赤色−オレンジ色ＬＥＤ及び赤色ＬＥＤからなるグループから選択され、前記光源は、少なくとも１つの追加の照明制御要素として追加の複数のＬＥＤを有し、前記少なくとも１つの追加の照明制御要素は、青色ＬＥＤ、緑色ＬＥＤ及びアンバー色ＬＥＤからなるグループから選択されることを特徴とする、請求項１に記載の光源。
【請求項７】
当該光源が前記第１の照明制御要素として複数のＬＥＤを有し、前記第１の照明制御要素は、赤色−オレンジ色ＬＥＤ及び赤色ＬＥＤからなるグループから選択され、前記光源は、少なくとも１つの追加の照明制御要素として追加の複数のＬＥＤを有し、前記少なくとも１つの追加の照明制御要素は、冷白色ＬＥＤ（ＣＷ）及び暖白色ＬＥＤからなるグループから選択されることを特徴とする、請求項１に記載の光源。
【請求項８】
当該光源が、前記第１の照明制御要素又は前記追加の照明制御要素のグループから選択されない少なくとも１つのＬＥＤからなる少なくとも１つの更なる追加の照明制御要素を有することを特徴とする、請求項６又は請求項７に記載の光源。
【請求項９】
当該光源が放電容器を有する低圧水銀放電ランプであり、
前記放電容器が、ガス密の態様で、不活性ガス及び水銀が供給された放電空間を囲むとともに、前記放電空間において放電を維持するための放電手段を有し、
前記放電容器の壁の少なくとも一部は、前記第１の照明制御要素としての赤色放射蛍光体と、前記１つの追加の照明制御要素及び更なる追加の照明制御要素としての、青色発光蛍光体、緑色発光蛍光体、アンバー色発光蛍光体及び赤色−オレンジ色発光蛍光体から選択された少なくとも２つの蛍光体との混合を有する発光層を備えることを特徴とする、請求項１に記載の光源。
【請求項１０】
当該光源が、３８０ｎｍ≦λ≦６００ｎｍの範囲内の波長λ及び５９０〜６１０ｎｍの範囲内のカットオフ波長をもつ光を少なくとも部分的に（全体的ではなく）反射又は吸収し、これにより、少なくとも部分的に、前記の範囲内の光が当該光源の包囲するのを阻止する干渉フィルタを前記少なくとも１つの追加の照明制御要素として備えた、前記照明制御要素としての高圧セラミックハライドランプであり、前記干渉フィルタは、好ましくは、前記ランプ容器の外側面の少なくとも一部に設けられたFe2O3/SiO2及びSiO2の交代層を有する、請求項１に記載の光源。
【請求項１１】
機能照明のための、請求項１〜１０のうちいずれか一項に記載の光源の使用。
【発明の詳細な説明】
【技術分野】
【０００１】
本発明は、機能照明のための光源及び前記光源の使用に関する。
【背景技術】
【０００２】
過去数年にわたって、人工的な夜用照明が、動物、詳細には夕暮れから夜明けまでの間にアクティブになる動物に対して悪影響を及ぼし得ることがより一層明らかになってきた。勿論、異なる種は、光の異なるスペクトルに対して異なった反応をする。しかしながら、スペクトル光分布に対するこれらの反応の依存性は、動物種の大部分に対しては知られていないが、特定のグループ又は傾向を判別することは可能である。多くの種は、短波長光によってより多く阻害される。これは、動物及び人間の双方の体内時計に影響を及ぼし得るか、光若しくは暗闇に対する目の適応に影響を及ぼし得るか、又は、行動に影響を与え得る。昆虫は、例えば、より長い波長の光よりも、短い波長の光によってより引き付けられる。コウモリは、長波長光のより低い回避を示し、齧歯動物は、長波長光を暗闇として知覚するものと思われる。
【０００３】
その他に、良く知られた例は、ウミガメである。メスは多くの短波長光を伴う海辺では卵を離さないだろう。卵から姿を出している子ガメは、海に向かってはって行く代わりに陸からの短波長光に引き付けられる。ウミガメに対する海辺付近の光の負の効果は、都市が海辺付近の光を制限又は禁止する条例を作り出すことを促している。これらの条例は、照明器具が幾つかの状況においてオフにされることを要求し得る。実際には、保護された生息地において又はその近くにおいて、動物に対する全ての種類の起こり得る乱れは、最小限に維持されるべきである。事故の起こり得る影響が、起こり得る環境的影響を上回る、人命、及び、化学物質流出、火災等に通じる交通事故又は工業用災難のような、直接的な影響を含んでいるときには、必要な予防措置が取られるべきである。取り得る予防措置の一つは、仕事及び輸送の安全性に対して十分な照明を有することである。
【０００４】
動物に対して乱れがないか又はほとんどないという欲求と人間に対する安全性の欲求との双方を適合させるために、国際公開第２００５／１０７３３６号は、２つの光源を備えた照明器具を開示している。この照明器具は、ウミガメに対して混乱を起こさせず、５９０〜６５０ｎｍの波長範囲の光を放射する、おおよそ単色光源（例えば、約５８５ｎｍで開始する波長の光を照射するネオンランプ）、又は、ウミガメに対して混乱を起こさせるが、人間に対して快適であり安全性を与える光を放射する白熱／蛍光光源のいずれかを選択的に動作可能である。既知の光源／照明器具の欠点は、かなり高価であり比較的複雑な構造であることである。既知の光源／照明器具の他の欠点は、照明器具が前記単色光源を動作させるときに人間の安全に対して比較的低い範囲にしか寄与しない不快な光を生成することである。
【発明の概要】
【発明が解決しようとする課題】
【０００５】
本発明の目的は、前述した欠点の少なくとも１つを解消することにある。
【課題を解決するための手段】
【０００６】
これを達成するために、本発明の光源は、３８０ｎｍ〜６８０ｎｍの範囲の少なくとも一部についてのスペクトルエミッタンスをもつ光を生成するために以下の特徴をもち、前記光は、波長λの関数としてスペクトルパワー分布Ｅ（λ）をもち、前記光源は、照明制御要素と少なくとも１つの追加の照明制御要素とを有し、前記照明制御要素及び前記少なくとも１つの追加の照明制御要素は、６００ｎｍ≦λ≦６８０ｎｍの第１の範囲、５０５ｎｍ≦λ≦６００ｎｍの第２の範囲、及び、３８０ｎｍ≦λ≦５０５ｎｍの第３の範囲に渡るパワー分布をもつ生成光を得るように設定され、３８０ｎｍ≦λ≦６８０ｎｍの範囲に対する前記第１の範囲に渡る積分パワー分布の第１の比率は、式
2013534690.tif 000003
により与えられ、ここで、０．６５≦Ｐ１≦０．９５であり、３８０ｎｍ≦λ≦６８０ｎｍの範囲に対する前記第２の範囲に渡る積分パワー分布の第２の比率は、式
2013534690.tif 000004
により与えられ、ここで、Ｐｍ≧０．０８であり、３８０ｎｍ≦λ≦６８０ｎｍの範囲に対する前記第３の範囲に渡る積分パワー分布の第３の比率は、式
2013534690.tif 000005
により与えられ、ここで、Ｐｓ≧０．０３又はＰ１≧０．７５の場合にはＰＳ≧０．０１５であり、前記第１の範囲、前記第２の範囲及び前記第３の範囲のそれぞれは、少なくとも１０％の前記照明制御要素及び前記少なくとも１つの追加の照明制御要素によるスペクトル範囲を有する。可視放射線の６８０ｎｍ〜７８０ｎｍの波長範囲において、スペクトルパワーの放射は、ランプを効果的なものにするために、比較的低くなるべきであり、即ち、３８０ｎｍ〜７８０ｎｍから放射されたスペクトルパワーに対して２５％又はそれ以下になるべきである。好ましくは、前記放射は、ランプ効率に対する将来の環境的欲求を見込むために、３８０ｎｍ〜７８０ｎｍで放射されたスペクトルパワーに対して１０％よりも多くなってはならない。最も好ましくは、６８０ｎｍ〜７８０ｎｍの範囲内の放射されたスペクトルパワーは、ほとんどなく、例えば、３８０ｎｍ〜７８０ｎｍで放射されたスペクトルパワーに対して２％又はそれ以下である。
【０００７】
スペクトル範囲は、照明制御要素が放射する特定の範囲のほんの一部として理解されるべきである。照明制御要素は、特定の波長で測定された強度が、光源がオフにされたときに測定された波長におけるバックグラウンドノイズ信号の量の少なくとも１０倍になる場合に、前記特定の波長で放射するものと見なされる。本発明は、安全な態様でタスクを実行するために人に対して十分なレベルの視覚を提供するように放射光を制御し、短波長に敏感な動物に対して比較的ほんの少しの乱れしか同時にもたらさない光源を提供する。人に関して、照明は、特定の質を効果的にする必要がある。色を認識する能力は、仕事の安全性において、例えば、安全及び警告標識を認識することについて、安全設備を配置することについて、チューブ及び製品ラベルを認識することについて、及び、プロセスを観察するために、非常に重要である。これに加えて、十分なレベルのカラーレンダリングは、人を認識することを補助し、体全体の快適感及び安全の双方に寄与するが、緊急事態においては特に重要である、空間的方向性を向上させる。白色光又は少なくとも黒体放射線（black body line）に比較的近いカラーポイントをもち、良好なカラーレンダリングに対して中程度である光に関して、ＣＩＥは、カラーレンダリング品質（ＣＲＩ又はＲａ）に対する尺度を規定した。Ｒａを規定することについて、白熱ランプは、１００のＲａをもつものとして規定され、恐らく今では時代遅れの"暖白色"ハロりん酸カルシウム蛍光ランプは、５０のＲａをもつように規定された。ＣＩＥは、"特定条件に対する基準発光体に基づく色外観（color appearance）と比較したオブジェクトの色外観に対する光源の効果"として光源の"カラーレンダリング特性"を規定する（CIE-Publikation Nr. 13.3, 1995, Method of Measuring and Specifying Colour- rendering Properties of Light Sources）。これは、多くの場合において実際に重要であり美的価値があるが、多くのアプリケーションにおいて、類似の色の異なる影の間を比較又は区別する必要なく、人が特定の色を識別及び認識するのに十分である。これに関する人による十分なレベルの色認識は、光源により照射されたオブジェクトの基本色を認識し、これらの間を区別するための人の能力を意味する。例えば、第３の範囲のスペクトル範囲が、前述した少なくとも１０％から少なくとも２０％の範囲まで増大した場合には、カラーレンダリングＲａは、約２０ポイントまで増大し、人に対する安全性が増大する。基本色は、概ね、例えば黒、グレー、白、ピンク、赤、オレンジ、黄、緑、青、紫、茶及び群青色を有する色カテゴリとして見られる。スペクトルパワー分布における特定の分布は、各色を可視にするとともにメタメリズム（metamerism）を解消するのに好ましいが、良好な色認識を提供するために、スペクトルは、完全な範囲の光波長に渡って完全に満たされる必要はない。ランプの放射スペクトルにおいて、第２の比Ｐｍに関する最小値は、少なくとも０．０８であり、第３の比Ｐｓは、第１の比Ｐ１に依存して、少なくとも０．０１５又は０．０３である。これらの最小値は、十分な照射が、中間、即ち５０５ｎｍ〜６００ｎｍ（緑〜オレンジ）の波長にあり、短波長、即ち３８０ｎｍ〜５０５ｎｍ（藍色〜緑）の波長が、特定された最小スペクトル範囲値と組み合わせて、色認識の可能性を実現することを保証する。Ｐｓ及びＰ１の双方の比率が小さすぎる場合には、中間波長範囲Ｐｍが支配的になり過ぎて、色認識と矛盾する。それ故、短波長範囲Ｐｓにおける放射量の下限は、動物に対する色認識及び乱れに関して、中間波長範囲Ｐｍにおける放射と、及び、長波長範囲Ｐ１における放射と、バランスを保つべきである。これは、Ｐ１≧０．６５に対するＰｓ≧０．０３からＰ１≧０．７５に対するＰｓ≧０．０１５への基準のシフトにより実現される。Ｒａ８として表されるＣＲＩに関して、これは、少なくとも３５の値を保証する。Ｐｍが支配的になり過ぎるのを解消するために、光源は、好ましくは、Ｐｍ≦０．３２、より好ましくはＰｍ≦０．２５、さらにより好ましくはＰｍ≦０．２０で特徴付けられる。３８０ｎｍ≦λ≦６８０ｎｍ（人にとって可視の波長範囲）の範囲に対する６００ｎｍ≦λ≦６８０ｎｍ（オレンジ〜赤の範囲）の第１の範囲に渡る積分パワー分布の第１の比Ｐ１が０．９よりも高いランプの放射スペクトルは、色認識の不十分な可能性をもたらすだろう。
【０００８】
光源の一実施形態は、０．６５≦Ｐ１≦０．８５、好ましくは０．７０≦Ｐ１≦０．８５で特徴付けられる。昆虫に対する人工光の魅力に関するスペクトルパワー分布の影響への我々の現在の見識に基づいて、６００〜６８０ｎｍの放射された光のパワーのＰ１≦０．６５は、０．２０〜０．４０のＰ１を伴う、最も一般的に用いられる白色光源と比較して、５０％まで昆虫引き付け力の削減をもたらすだろう。長波長照射Ｐ１≧０．７０の更なる増大は、１０％未満に昆虫引き付け力を減少させるだろう。ホオヒゲコウモリ種のような、あまり一般的ではない、より光に敏感なコウモリに関して、Ｐ１≧０．７０は、スペクトルパワー分布を公式化するのを可能にし、これは、我々の現在の見識に基づいて、大きな混乱をもたらさないが、より低い光レベルクラスＳ５，Ｓ６，Ａ２，Ａ３に対応する外灯照明レベルに達するのを可能にする。ここに記載されたスペクトルパワー分布に関する他の要件を考慮すると、Ｐ１≧０．８０により、スペクトルが取得され、これは、同等のフラックスレベルと比較して、６０よりも大きいカラーレンダリングインデックスをさらにもつ、単色低圧ナトリウムランプよりも、昆虫に対してあまり魅力的ではない。
【０００９】
光源の他の実施形態は、光源の全フラックスは、少なくとも１００ｌｍ、好ましくは少なくとも２５０ｌｍ、より好ましくは少なくとも７５０ｌｍである。１００ｌｍのルーメンパッケージは、専門的な環境における照明特定ポイント、例えば警告標識、入口又は障害物に適している。２５０ｌｍ以上に関して、斯様な光源は、公共又は個人庭園における照明に対して用いられ得る。例えば１０００００ｌｍのオーダーまでの、７５０ｌｍよりも高いフラックスでは、斯様な光源／照明器具は、道路及びエリア照明に対して適用され得る。
【００１０】
一実施形態において、光源は、第１の照明制御要素として複数のＬＥＤを有し、前記第１の照明制御要素は、赤色−オレンジ色ＬＥＤ及び赤色ＬＥＤからなるグループから選択され、前記光源は、少なくとも１つの追加の照明制御要素として追加の複数のＬＥＤを有し、前記少なくとも１つの追加の照明制御要素は、青色ＬＥＤ、緑色ＬＥＤ及びアンバー色ＬＥＤからなるグループから選択されることを特徴とする。ＬＥＤは、多種多様の放射色において利用可能な小さな照明要素である。光源のスペクトル放射は、異なるＬＥＤ及びその適切な数により放射された種々の色の選択により容易に選択され得る。光源は、前記光源が、前記第１の照明制御要素又は前記追加の照明制御要素のグループから選択されない少なくとも１つのＬＥＤからなる少なくとも１つの更なる追加の照明制御要素を有することを特徴とする。より異なって着色されたＬＥＤを選択することにより、３８０〜６８０ｎｍのスペクトルのより広い範囲が達成可能であり、それ故、ＣＲＩ及び／又は色認識の向上が達成可能である。代わりに、光源は、前記光源が前記第１の照明制御要素として複数のＬＥＤを有し、前記第１の照明制御要素は、赤色−オレンジ色ＬＥＤ及び赤色ＬＥＤからなるグループから選択され、前記光源は、少なくとも１つの追加の照明制御要素として追加の複数のＬＥＤを有し、前記少なくとも１つの追加の照明制御要素は、冷白色ＬＥＤ（ＣＷ）及び暖白色ＬＥＤからなるグループから選択されることを特徴とする。代わりに、これは、他の白色、例えば昼白色によっても達成可能である。
【００１１】
より広い範囲のスペクトルを得るための代替手法は、第１、第２及び第３の波長範囲のそれぞれにおける少なくとも１つの顕著な放射ピークの増大した半値全幅（ＦＷＨＭ）をもつ照明制御要素を用いることによるものである。これに関して、顕著は、前記ピークでの測定されたスペクトル強度が、測定されたバックグラウンドノイズ信号の少なくとも１００倍であることを意味する。ＦＷＨＭに関する１２ｎｍの最小開始値が受け入れられるが、しかしながら、好ましくはＦＷＨMは少なくとも２０ｎｍである。好ましくは、照射線は、色認識の可能性を増大させるように、如何なる認識可能なピークを伴うことなく、全範囲に渡って均等に分配されるように放射されるべきである。
【００１２】
光源の一実施形態は、前記光源が放電容器を有する低圧水銀放電ランプであり、前記放電容器が、ガス密の態様で、不活性ガス及び水銀が供給された放電空間を囲むとともに、前記放電空間において放電を維持するための放電手段を有し、前記放電容器の壁の少なくとも一部は、前記第１の照明制御要素としての赤色放射蛍光体と、前記１つの追加の照明制御要素及び更なる追加の照明制御要素としての、青色発光蛍光体、緑色発光蛍光体、アンバー色発光蛍光体及び赤色−オレンジ色発光蛍光体から選択された少なくとも２つの蛍光体との混合を有する発光層を備えることを特徴とする。青色蛍光体は、好ましくは、BaMgAl10O17:Eu (BAM)，Sr5(PO4)3Cl:Eu (SCAP)及び／又はSr4Al14O25:Eu (SAE)であり、緑色蛍光体は、好ましくは、LaPO4:Ce，Tb (LAP)，Sr4Al14O25:Eu及び／又はBaMg2Al16O27:Eu,Mn (BAM-green)であり、アンバー蛍光体は、好ましくは、Sr10(PO4)6F2:Sb (SHS)であり、赤色−オレンジ色蛍光体は、好ましくは、Y2O3:Eu(YOX)であり、赤色蛍光体は、好ましくは、YVO4:Eu (YVO4)及び／又はMg4GeO6:Mn (MGM)である。これらの蛍光体は、安価で、良く知られたものであり、蛍光ランプにおいて広く適用されている。現在、蛍光灯は、ＬＥＤを備えた光源に対する安価な代用品である。
【００１３】
光源の一実施形態は、前記光源が、３８０ｎｍ≦λ≦６００ｎｍの範囲内の波長λ及び５９０〜６１０ｎｍの範囲内のカットオフ波長をもつ光を少なくとも部分的に（全体的ではなく）反射又は吸収し、これにより、少なくとも部分的に、前記の範囲内の光が光源の包囲するのを阻止する干渉フィルタを少なくとも１つの追加の照明制御要素として備えた、照明制御要素としての高圧セラミックハライドランプであり、前記干渉フィルタは、好ましくは、前記ランプ容器の外側面の少なくとも一部に設けられたFe2O3/SiO2及びSiO2の交代層を有する。
【００１４】
General Electric Lighting Systemsは、ウミガメに対する混乱効果を低減させるために高圧ナトリウム（ＨＰＳ；High Pressure Sodium）ランプと一緒に用いられるべき２つのフィルタを発表した。双方は、５３０ｎｍ（フィルタタイプ＃２４２２）又は５７０ｎｍ（フィルタタイプＮＬＷ）のカットオフをもつ、ハイパスフィルタであった。５２０ｎｍ又は５６０ｎｍ未満では、それぞれ、これらのフィルタは、６５０ｎｍで約９０％の透過率を達成する全ての光を完全にブロックした。研究は、ＨＰＳランプを伴う斯様なフィルタの適用がウミガメに対する所望の効果を完全には得ないことを示した。本発明は、ＧＥのランプにおいて用いられたカットオフ波長が、ウミガメに対する所望の効果及び人に対する安全性の効果の双方をもたらすために、短すぎであり、約６００ｎｍ又はそれよりも若干高いものであるべきであることを示す。同様のフィルタを備えたハロゲンランプが、米国特許第５，５７８，８９２号明細書にＧＥにより開示された。しかしながら、これらのランプにより放射されたスペクトルは、約０．３６のみのＰ１の値により特徴付けられる。一見したところこれらのランプが必要とされる生物学的効果を得なかったことに加えて、大量のエネルギが、光（強度）の人の知覚にあまり寄与しない、６８０ｎｍ〜７８０ｎｍの波長で放射され、これらのランプを、ここに開示された光源よりも非常に小さなエネルギ効率のものにする。好ましくはエネルギ効率に関する将来の要求を満たすために、全放射スペクトルパワーの１０％だけが６８０ｎｍと７８０ｎｍとの間で放射されるべきである。この境界条件を示すために、最新の蛍光ランプ又はＬＥＤ照明のような、典型的なエネルギ効率のランプは、この要求を満たすのに対し、典型的な白熱又はハロゲンランプは、非常に高く、不適切な値をもつ。
【００１５】
本発明は、人間可視スペクトル及び屋外生活エリアを照射することについて効果的な範囲内において、赤ちゃん及び大人のウミガメ、昆虫、コウモリ又は齧歯動物及び他の小さな哺乳動物のような、短波長に敏感な動物にとってほとんど見えないか、又はこれらの動物の自然行動に少なくともあまり影響しない、予め決められた、特定のより長い波長の光を主に放射する光源を提供する。しかしながら、光源及び照明器具の比較的単純で安価な構造を維持するために、このスペクトルは、好ましくは、例えば１つの取付ポイント、例えばソケット、街灯、取付ブラケット又はスタンディングフット、並びに、１つの電源接続をもつ単一のシステムにより放射されるべきである。この目的は、例えば仕事、読書、運転、検査、スポーツ等のための機能照明を提供することにある。それ故、光源の使用は、装飾的、祝祭的な、季節的な又は建築的／町の美化的な照明のような、美的効果を実現することを目的とした照明に対してあまり設計されていない。光源／照明器具は、前記のタイプのスペクトルを放射するように設計又は設定されるべきであるが、これは、例えば、生態学的かく乱よりも優先するときに、又は、特定の時間に若しくは特定の期間において、（例えば影響された種の冬眠の間において）このかく乱の危険性がない場合に、光を人の安全のためにより白くするために、白色光、若しくは、短及び中間波長範囲の光を追加することにより、又は、長波長範囲の光を調光することにより、異なるスペクトルに変更するためのオプションであってもよい。
【００１６】
米国特許第２００５／０１６８９８２号明細書は、野生生物を保護するために５８９ｎｍの単色線放射をもつ、低圧ナトリウム放電ランプを開示している。このランプは、如何なる色認識も提供しない、不快な光を生成する、単色光源の動作の間において人の安全性に対して比較的低い範囲に寄与する、加えて、放射された波長が前述した動物に対する効果を十分に制限するほど短すぎる、という良く知られた欠点を有する。それ故、その光を他の光源の光と混合することが一般的に提案されており、他の光と混合された低圧ナトリウム光において色の視覚が可能となることを示す。しかしながら、周囲の生態系に対する最も小さな起こり得る追加のかく乱を伴う色認識の十分なレベルに達するために、どの波長に追加するのか、及び、どのような割合であるのか、のような必要な情報は与えられない。また、幾つかの動物に関して、例えば、リスアマガエル（Squirrel Treefrog（Hyla squirella））に関して、夜行性の色の視覚は、配偶者選択及びオス同士の競争において重要である。明らかに、標準の低圧ナトリウムランプが所望レベルの色認識を提供するかどうかについて少なくとも疑わしい。
【００１７】
本発明は、例及び概略図によってより詳細に説明されるだろう。
【図面の簡単な説明】
【００１８】
【図１Ａ】本発明の光源の第１の実施形態の断面図を示す。
【図１Ｂ】蛍光変換を伴わないＬＥＤ及び蛍光変換されたＬＥＤをそれぞれ用いることにより作られた放射スペクトルを示す。
【図１Ｃ】蛍光変換を伴わないＬＥＤ及び蛍光変換されたＬＥＤをそれぞれ用いることにより作られた放射スペクトルを示す。
【図２】本発明の光源の第２の実施形態の断面図を示す。
【図３Ａ】本発明の光源の第３の実施形態の断面図を示す。
【図３Ｂ】５層干渉フィルタ及び７層干渉フィルタの透過曲線を示す。
【図３Ｃ】図３Ｂに示された透過曲線のうち一方をもつ、前記層の一方を備えた、図３Ａのランプの放射スペクトルを示す。
【発明を実施するための形態】
【００１９】
図１Ａは、本発明の光源４０の第１の実施形態を概略的に示している。光源は、一例として１個の青色発光ダイオード（ＬＥＤ）４１、１２個の赤色ＬＥＤ４２、及び、２つの緑色ＬＥＤ４３を有する、複数のＬＥＤを有する。この例において、全てのＬＥＤは、Philips Lumileds Lighting CompanyからのLuxeon I LEDである。代替実施形態において、異なるＬＥＤ、例えばCREE XPE若しくはXRE LED又はLuxeon Rebelsが用いられてもよい。ＬＥＤ４１、複数のＬＥＤ４２及び複数のＬＥＤ４３は、好ましくは、各ＬＥＤの光出力を調節するために調光され得る。光源４０は、ＬＥＤの発光面と対向する光透過出口窓（図示省略）と、ＬＥＤの発光面から外側を向く背面（図示省略）とをもつ。背面は、好ましくは、出口窓と対向する面上に反射面をもつ。ＬＥＤ４１，４２，４３により生成された光が光源４０の内部で一様に混合され、出口窓を介して放射される。放射された光は、約３０のカラーレンダリングインデックスＲａ及びＰ１をもち、３８０ｎｍ≦λ≦６８０ｎｍの全範囲に対する６００ｎｍ≦λ≦６８０ｎｍの第１の範囲に渡る積分スペクトルパワー分布の比率が０．７２である。表２〜４は、赤色、赤色−オレンジ色、アンバー色、緑色及び青色のＬＥＤの数（＃）の割合、光源の光束、カラーレンダリングインデックスＲａ、並びに、光源により生成された光のパラメータＰ１，Ｐｍ及びＰｓについての光源４０の代替実施形態を示す。光源４０におけるＬＥＤの正確な全数は、要求される光出力及び個々のＬＥＤの光出力に依存する。光源４０に各色に関するＬＥＤの数が与えられた場合には、これは、ランプ特性、例えばスペクトルパワー分布、光束、有効性、一般的なカラーレンダリングインデックスＲａ及びパラメータＰ１を計算し得る。表１は、前記の計算において用いられる種々のＬＥＤの特性を与える。光源４０を設計するときには、光源４０により生成された光のパラメータＰ１の最大値及び一般的なカラーレンダリングインデックスＲａの最小値が選択される。加えて、電力使用の最小値は、その光出力に対して光源４０のコストを釣り合わせるために選択される。それぞれ個々のＬＥＤに対してスペクトルパワー分布が与えられた場合には、特に着色されたＬＥＤの必要数が反復手順を介して決定される。図１Ｂは、生ずるスペクトルパワー分布、即ち、生成された光のｎｍについての波長λに対するＷｎｍ−１についての出力パワーを示しており、これは、"直接的な"ＬＥＤ、即ちＰＬ＝８２％をもつ、蛍光変換を伴わないＬＥＤを用いて作られる。光源は、表１において特定されるように、青色、緑色及び赤色ＬＥＤの数について１：５：３８の比率をもつ。光源は、約１８７０ｌｍの特定の光束をもつ光を放射する。一般的なカラーレンダリングインデックスＲａは４４である。光源により生成されたスペクトルは、約６２％の第１の範囲のスペクトル範囲、事実上１００％の第２の範囲のスペクトル範囲、及び、約４０％の第３の範囲のスペクトル範囲をもつ。図１Ｃは、生ずるスペクトルパワー分布、即ち、生成された光のｎｍについての波長λに対するＷｎｍ−１についての出力パワーを示しており、これは、蛍光変換されたＬＥＤ、即ち、ＰＬ＝８１％を伴う、Y3Al5O12:Eu蛍光体（＝ＹＡＧ）をもつ青色Ｌ��Ｄを用いて作られる。光源は、表５に示されるように、暖白色及び赤色−オレンジ色のＬＥＤの数について４：１８の比率をもつ。光源は、約１００ｌｍの特定の光束をもつ光を放射する。一般的なカラーレンダリングインデックスＲａは７６である。光源により生成されたスペクトルは、約６７％の第１の範囲のスペクトル範囲、事実上１００％の第２の範囲のスペクトル範囲、及び、約５７％の第３の範囲のスペクトル範囲をもつ。６８０ｎｍより高い波長は、カラーレンダリングインデックスＲａにあまり寄与しない。それ故、６８０ｎｍよりも長い波長のスペクトル範囲は、この場合において不適切と見なされる。
[表１]
計算及び実験で用いられたＬＥＤの特性
2013534690.tif 000006
[表２]
０．６５＜Ｐ１＜０．７０を伴う実施形態
2013534690.tif 000007
[表３]
０．７０＜Ｐ１＜０．８０を伴う実施形態
2013534690.tif 000008
[表４]
０．８０＜Ｐ１＜０．９５を伴う実施形態
2013534690.tif 000009
【００２０】
代わりに、長波長を放射するＬＥＤ及び白色（蛍光変換された）ＬＥＤの組み合わせが用いられてもよい（例えば、表１に記載された冷白色（ＣＷ）及び暖白色（ＷＷ）ＬＥＤ）。蛍光変換されたＬＥＤを含む計算が表５において与えられる。
[表５]
直接及び蛍光変換されたＬＥＤを用いた実施形態
2013534690.tif 000010
【００２１】
そして、光源は、第１の照明制御要素として複数のＬＥＤを有し、第１の照明制御要素は、赤色−オレンジ色ＬＥＤ及び赤色ＬＥＤのからなるグループから選択され、光源は、少なくとも１つの追加の照明制御要素として追加の複数のＬＥＤを有し、少なくとも１つの追加の照明制御要素は、冷白色ＬＥＤ（ＣＷ）及び暖白色ＬＥＤ（ＷＷ）からなるグループから選択される。
【００２２】
図２において、本発明の光源の第２の実施形態の一部が示され、少なくとも１つの追加の照明制御要素として蛍光層を備えた照明制御要素として低圧水銀放電ランプを有する。図２は、実際には光源１０の一端部のみを示している。即ち、光源１０は、２つの互いに反対側にある同一の端部を有し、それぞれは、長尺放電容器１２の一端を封止する。光源１０は、ガス密の態様で放電空間１４を囲む光透過型放電容器１２を有する低圧ガス放電ランプである。放電空間１４は、水銀及び緩衝ガス、例えばアルゴン又はキセノンのガス充填物を有する。低圧ガス放電ランプ１０は、更に、放電空間１４において放電を維持するための放電手段１８を更に有する。放電手段１８は、例えば、容量結合、誘導結合、マイクロ波結合を介して、又は、電極を介して、放電空間１４にエネルギを結合する。放電空間１４のガス充填物における電子及びイオンは、ガス充填物において水銀混合物と衝突する。この衝突により、水銀原子が励起され、光、主に約２５４ｎｍの波長の紫外線を実質的に放射する。低圧ガス放電ランプ１０は、紫外線を吸収する発光材料の発光層１６を有し、後に、吸収された紫外線を可視光に変換する。
【００２３】
本発明のランプに関する適切なスペクトルは、発光層における蛍光体の適切な組み合わせを用いて、蛍光ランプにより達せられ得る。光源１０において特定の色を放射する各蛍光体のための重量％の蛍光材料の量が与えられた場合に、これは、ランプ特性、例えば、スペクトルパワー分布、光束、有効性、一般的なカラーレンダリングインデックスＲａ及びパラメータＰ１を計算し得る。光源１０を設計するときには、光源１０により生成された光のパラメータＰ１の最大値及び一般的なカラーレンダリングインデックスＲａの最小値が選択される。蛍光体の取り得る組み合わせが表６において与えられる。
[表６]
低圧水銀放電ランプ（蛍光ランプ）に関する蛍光体の組み合わせの例
2013534690.tif 000011
【００２４】
図３Ａにおいて、本発明の光源の第３の実施形態は、高圧ナトリウムランプ、この場合においては、Philips 70 W color 828 CDOランプを照明制御要素として有する。（ＨＰＳ）ランプは、例えば半透明でガス密のアルミナ（ＴＧＡ）から作られた、セラミック材料から作られたランプ容器２１の内側に設けられた電極２２の対を有し、ランプ容器は、ランプベース２７を備えた硬質ガラス外側電球２４により囲まれる。ランプ容器２１の（外側）表面２６は、少なくとも１つの追加の照明制御要素として干渉フィルタ２５を備え、外側電球２４のガラス表面上の、Fe2O3/SiO2の層で開始する、Fe2O3/SiO2及びSiO2の交代層を有する。図３Ａで示されたランプは、５層又は例えば７層の干渉フィルタによるディップコーティングを介して提供される。フィルタの取り得る組み合わせは、表７及び表８に示されており、５層フィルタ及び７層フィルタ双方の透過スペクトルは図３Ｂに示されている。前記のフィルタの双方は、３８０ｎｍ≦λ≦６００ｎｍの範囲内の波長λをもつ光に対して比較的高い反射率（低透過率）をもち、これらのカットオフ波長は、約６００ｎｍである。非常に適切なフィルタは、５９０ｎｍ〜６１０ｎｍの範囲内のカットオフ波長をもつ。一見したところ、７層フィルタは、５層フィルタよりも波長範囲３８０ｎｍ≦λ≦６００ｎｍにおいて多少透過的である。
[表７]
５層干渉フィルタの組成
2013534690.tif 000012
【００２５】
代替の７層干渉フィルタの組成が表８に示されている。
[表８]
７層干渉フィルタの組成
2013534690.tif 000013
【００２６】
図３Ｃは、７層干渉フィルタとの組み合わせにおいて図３Ａの高圧ナトリウムランプの放射スペクトルを示す。表９は、図３Ｃに示された放射スペクトルのスペクトル特性のサマリを示している。
[表９]
図３Ｃ〜３Ｅのランプの放射スペクトルの特性
2013534690.tif 000014
【００２７】
代替実施形態において、干渉フィルタは、硬質ガラス外側電球２４の内側又は外側表面に配置される。他の代替実施形態において、干渉フィルタは、例えば照明器具の前部ガラス上の、又は、光源と照明器具の前部ガラスとの間における、光源周りの透明被覆物上の、光源から離れた位置に設けられる。
【００２８】
前述された実施形態は、本発明を限定するよりもむしろ例示するものであり、当業者は、特許請求の範囲から逸脱することなく多くの代替実施形態を設計することが可能であることが留意されるべきである。請求項において、括弧内の任意の参照符号は、請求項を限定するものとして考慮されるべきではない。"有する"という動詞の使用及びその活用は、請求項に記載されたもの以外の要素又はステップの存在を除外するものではない。要素の単数表記は、斯様な要素の複数の存在を除外するものではない。本発明は、幾つかの別個の要素を有するハードウェアにより実装されてもよい。幾つかの手段を列挙する装置に係る請求項において、これらの手段の幾つかは、ハードウェアの全く同一のアイテムにより具現されてもよい。特定の手段が相互に異なる従属請求項に記載されているという単なる事実は、これらの手段の組み合わせが有利に用いられ得ないことを示すものではない。
【図１Ａ】
2013534690.tif 000021
【図１Ｂ】
2013534690.tif 000022
【図１Ｃ】
2013534690.tif 000023
【図２】
2013534690.tif 000024
【図３Ａ】
2013534690.tif 000025
【図３Ｂ】
2013534690.tif 000026
【図３Ｃ】
2013534690.tif 000027
【国際調査報告】
2013534690.tif 000028
2013534690.tif 000029